(57)【特許請求の範囲】
【請求項１】
接合用プレートの一面にガセットプレートを、他面にスタッドボルトと定着筋とをそれぞれ設け、前記スタッドボルト及び定着筋が設けられた側における接合用プレートの両側部に側板が設けられたことを特徴とする制震用部材の取付治具。
【請求項２】
接合用プレートの一面にガセットプレートを、他面にスタッドボルトと定着筋とをそれぞれ設けた制震用部材の取付治具を、柱筋を囲んだ柱型枠の上端部または下端部と、柱筋を囲んだ他の柱型枠の上端部または下端部とに設置し、前記接合用プレートの両側部に設けた側板と、該側板の後部に設けた背板とで柱筋を囲んだ後、前記柱型枠内にコンクリートを打設して、柱の上端部または下端部と、他の柱の上端部または下端部とに制震用部材の取付治具を設置し、これらの取付治具にわたって制震用部材を設置することを特徴とする制震用部材の取付方法。
【請求項３】
他の柱は間柱であることを特徴とする請求項２に記載の制震用部材の取付方法。
【発明の詳細な説明】
【０００１】
【発明の属する技術分野】
本発明は制震用部材の取付治具およびその取付方法に関するものである。
【０００２】
【従来の技術】
鉄骨系の建物に制震用部材である制震用ダンパーなどを取り付けるには、そのための治具、例えば、ガセットプレートを鉄骨架構に直接溶接して、取り付けることができる。しかし、鉄筋コンクリート系の建物に制震用ダンパーを取り付けるには、架構の変形や力を制震用ダンパーに伝える鉄筋コンクリートと、制震用ダンパーとの接合部の取り合いが問題になる。そこで、従来は、図８に示すように、鉄筋コンクリート構造物２５の開口部に鉄骨フレーム２６を組み込み、これに設置した取付治具２７で制震用ダンパー２８を取り付けていた。
【０００３】
【発明が解決しようとする課題】
しかし、上記のような制震用ダンパーの取付方法は、多くの鋼材量が必要となる他、施工も煩雑となるために不経済的であった。
【０００４】
本発明はこれらの問題に鑑みてなされたものであり、その目的は、鋼材量を少なくし、かつ簡単に施工できる制震用部材の取付治具およびその取付方法を提供することである。
【０００５】
【課題を解決するための手段】
以上の課題を解決するための手段である請求項１の発明は、接合用プレートの一面にガセットプレートを、他面にスタッドボルトと定着筋とをそれぞれ設け、前記スタッドボルト及び定着筋が設けられた側における接合用プレートの両側部に側板が設けられたことである。また、制震用部材の取付方法は、接合用プレートの一面にガセットプレートを、他面にスタッドボルトと定着筋とをそれぞれ設けた制震用部材の取付治具を、柱筋を囲んだ柱型枠の上端部または下端部と、柱筋を囲んだ他の柱型枠の上端部または下端部とに設置し、前記接合用プレートの両側部に設けた側板と、該側板の後部に設けた背板とで柱筋を囲んだ後、前記柱型枠内にコンクリートを打設して、柱の上端部または下端部と、他の柱の上端部または下端部とに制震用部材の取付治具を設置し、これらの取付治具にわたって制震用部材を設置することであり、更に、前記他の柱は間柱であることを特徴とする。
【０００６】
制震用ダンパーなどが簡単に設置できる制震用部材の取付治具を提供することができる。接合用プレートの両側部に設けた側板により、制震用部材の取付治具を柱型枠の一部とすることもできる。柱の上端部または下端部と、他の柱の上端部または下端部とに設置した制震用部材の取付治具により、鋼材量を少なくし、かつ簡単な施工で柱間に制震用ダンパーなどを設置することができる。
【０００７】
【発明の実施の形態】
以下、本発明の制震用部材の取付治具およびその取付方法の実施の形態を図面に基づいて詳細に説明する。はじめに、制震用部材の取付治具（以下、取付治具という）について説明し、その後に制震用部材の取付方法の実施の形態を説明するが、各実施の形態において同じ構成は同じ符号を付して説明し、異なった構成にのみ異なった符号を付して説明する。
【０００８】
図１は、第１の実施の形態の取付治具１を示したものである。この取付治具１は間柱用のものであり、接合用プレート２の一面にガセットプレート３が突設され、他面にスタッドボルト４と定着筋５とが設けられて構成されている。ガセットプレート３は制震用部材である制震用ダンパー（オイルダンパーなど）や低降伏点鋼の制震ブレースなどを接合するものである。一方、スタッドボルト４は頭付きであり、制震用部材からのせん断力を柱に伝達させる。また定着筋５は、制震用部材からの引張力を柱に伝達させるものであり、Ｕ字状に形成されてスタッドボルト４と交互に配筋されている。
【０００９】
図２は、第２の実施の形態の取付治具７を示したものである。この取付治具７は、接合用プレート２の両側部に側板８を設けたものであり、これ以外は第１の実施の形態の取付治具１と同じ構成である。この側板８はスタッドボルト４と定着筋５とを囲むようにして設けられ、その後部に背板９が取り付けられて型枠１０を形成できるようになっている。
【００１０】
次に、制震用部材の取付方法について説明する。この実施の形態は、第２の実施の形態の取付治具７を使用して、鉄筋コンクリート構造部１１の間柱１２と柱１３との間に制震用部材である制震用ダンパーを取り付けるものである。
【００１１】
はじめに、図３および４に示すように、柱筋が配筋された間柱型枠１４の上端部と、柱筋が配筋された柱型枠１５の下端部とに取付治具７を設置するとともに、側板８の後部に背板９を溶接して、間柱型枠の上端部に上部型枠１０ａを形成するとともに、柱型枠の下端部に下部型枠１０ｂを形成する。このとき取付治具７のスタッドボルト４と定着筋５は柱筋１７内、すなわち主筋１８とフープ筋１９との間に配筋された状態になる。そして、この間柱型枠１４内と柱型枠１５内とにコンクリート２０を打設し、これが硬化した後に、これらを解体すると、間柱１２の上端部と柱１３の下端部とに取付治具７が設置される。なお、この柱は現場打ちコンクリートであるが、ＰＣ柱の場合は、取付治具７が予めＰＣ柱の上部または下部に設置されている。
【００１２】
この取付治具７は、図５に示すように、接合用プレート２、側板８および背板９により間柱１２の上端部と、柱１３の上端部とを鋼板補強するものであり、スタッドボルト４と定着筋５とは間柱１２および柱１３内に埋設される。したがって、制震用ダンパーからのせん断力と引張力とがスタッドボルト４と定着筋５とによって、間柱１２および柱１３に伝達される。
【００１３】
次に、図６に示すように、間柱１２の上端部に設置された取付治具７と、柱１３の下端部に設置された取付治具７とにわたって、オイルダンパーなどの制震用ダンパー２１を設置して制震架構を形成する。なお、一方の柱（図６の左側の柱）１６の下端部と間柱１２の上端部とにわたって、制震用ダンパー２１を取り付ける場合も、上記と同じ方法でおこなう。この場合は、図７に示すような、接合用プレート２が両側に設けられた取付治具２２を使用する。さらに、間柱１２がない場合も、前記と同じ方法で柱１３、１６間に制震用ダンパー２１を設置する。また制震用部材が低降伏点鋼の制震用ブレースであっても上記と同じ方法で設置する。
【００１４】
【発明の効果】
制震用部材が簡単に設置できる取付治具を提供することができる。
【００１５】
接合用プレートの両側部に設けた側板により、制震用部材の取付治具を柱の上部型枠または下部型枠にすることができる。
【００１６】
鋼材量を少なくし、かつ簡単な施工で柱間に制震用部材を設置することができる。
【図面の簡単な説明】
【図１】第１の実施の形態の取付治具であり、（１）は平面図、（２）は（１）のＡ−Ａ線断面図、（３）は同背面図、（４）は同正面図である。
【図２】第２の実施の形態の取付治具であり、（１）は平面図、（２）は（１）のＢ−Ｂ線断面図、（３）は同背面図、（４）は同正面図である。
【図３】制震用部材の取付方法を示す図である。
【図４】（１）は図３のＣ−Ｃ線断面図、（２）は同Ｄ−Ｄ線断面図である。
【図５】（１）は型枠内にコンクリートを打設した間柱型枠の断面図、（２）は同柱型枠の断面図である。
【図６】間柱上端部の取付治具と、柱下端部の取付治具とに制震用ダンパーを設置した図である。
【図７】（１）は他の取付治具の平面図、（２）は（１）のＥ−Ｅ線断面図である。
【図８】（１）および（２）は従来の制震用ダンパーの取付図である。
【符号の説明】
１、７、２２、２７  取付治具
２  接合用プレート
３  ガセットプレート
４  スタッドボルト
５  定着筋
８  側板
９  背板
１０ａ  上部型枠
１０ｂ  下部型枠
１１、２５  鉄筋コンクリート構造物
１２  間柱
１３  柱
１４  間柱型枠
１５  柱型枠
１６  一方の柱
１７  柱筋
１８  主筋
１９  フープ筋
２０  コンクリート
２１、２８  制震用ダンパー
２６  鉄骨フレーム
【図１】
0004686069.tif 000002
【図２】
0004686069.tif 000003
【図３】
0004686069.tif 000004
【図４】
0004686069.tif 000005
【図５】
0004686069.tif 000006
【図６】
0004686069.tif 000007
【図７】
0004686069.tif 000008
【図８】
0004686069.tif 000009